(57)【要約】【課題】冊子の表紙や裏表紙の美観を損なうことがなく、コストがやすく、廃棄物の発生が少ない冊子を提供すること。【解決手段】冊子１の裏表紙部材（２０）には窓状の切り欠き（２１）が形成されている。裏表紙部材に隣接する本文部分（３０）の末尾頁（３０Ｌ）の、裏表紙部材に形成した切り欠きに対応する第１領域（３０Ｌ１）には配送先の宛名が印刷される。冊子を閉じ、透明なラップ材に入れた状態では裏表紙部材の切り欠きを通して本文部分の末尾頁の第１領域は見ることができるが、その他の領域は見えない。本文部分の末尾頁の第１領域以外の部分には、広告資料、返信用はがき、要秘匿性の個人情報等が印刷される。【選択図】　　　図１
0003099369.tif 000002
【実用新案登録請求の範囲】
【請求項１】
配送される冊子であって、
表紙部材と、裏表紙部材と、表紙部材と裏表紙部材の間に挟まれる本文部分とを含み、
表紙部材、または、裏表紙部材の一方に、切り欠きを設け、
切り欠きを設けた表紙部材、または、裏表紙部材に隣接する本文部分の先頭頁、または、末尾頁の、前記切り欠きに対応する位置に、配送用情報を印刷した、
ことを特徴とする冊子。
【請求項２】
配送用情報が印刷された頁の、前記切り欠きに対応しない位置に、非配送用情報を印刷した、ことを特徴とする請求項１に記載の冊子。
【請求項３】
前記非配送用情報が、要秘匿性の配送先の個人情報を含む、ことを特徴とする請求項２に記載の冊子。
【請求項４】
前記非配送用情報が、広告情報を含む、ことを特徴とする請求項２に記載の冊子。
【請求項５】
前記非配送用情報が、返信用材料を含む、ことを特徴とする請求項２に記載の冊子。
【請求項６】
前記切り欠きが、四角形である、ことを特徴とする請求項１に記載の冊子。
【請求項７】
印刷された配送用情報を視認可能に形成された包装材で包装して配送される、ことを特徴とする請求項１に記載の冊子。
【考案の詳細な説明】
【０００１】
【考案の属する技術分野】
本考案は冊子、個人等の配送先に配送される冊子に関する。
【０００２】
【従来の技術】
現在では、通信販売用のカタログ、定期発行の案内資料等の数多くの冊子が個人等の配送先に配送されている。これらの冊子は可視性の透明、あるいは、半透明のラップ材、または、所謂窓付きの封筒で包装して配送されることが多い。
そして、宛名については、冊子の表紙部材、または、裏表紙部材に、冊子とは別に印刷した宛名ラベルを貼付することが多い。
【０００３】
【考案が解決しようとする課題】
上記のような冊子においては、宛名ラベルが冊子の表紙部材、または、裏表紙部材に貼付されるので、冊子の表紙、または、裏表紙が汚損されるし、また、宛名ラベルを別途作成するためのコストもかかる。さらに、宛名ラベルは裏面に粘着材を塗布して形成され、台紙に貼付して準備されるので、粘着材が必要であり、また、台紙が廃棄物として発生する。
本考案は、上記問題に鑑み、冊子の表紙部材や裏表紙部材を汚損することがなく、コストがやすく、廃棄物の発生が少ない冊子を提供することを目的とする。
【０００４】
【課題を解決するための手段】
請求項１の考案によれば、配送される冊子であって、
表紙部材と、裏表紙部材と、表紙部材と裏表紙部材の間に挟まれる本文部分とを含み、
表紙部材、または、裏表紙部材の一方に、切り欠きを設け、
切り欠きを設けた表紙部材、または、裏表紙部材に隣接する本文部分の先頭頁、または、末尾頁の、前記切り欠きに対応する位置に、配送用情報を印刷した、冊子が提供される。
このように構成される冊子では、表紙部材、または、裏表紙部材ではなく本文部分の先頭頁、または、末尾頁に配送用情報が印刷され、配送時には、この配送用情報を表紙部材、または、裏表紙部材に設けた切り欠きを介して見ることができ、宛名ラベルが不要である。
【０００５】
請求項２の考案によれば、請求項１の考案において、配送用情報が印刷された頁の、切り欠きに対応しない位置に、非配送用情報を印刷した、冊子が提供される。
請求項３の考案によれば、請求項２の考案において、前記非配送用情報が、要秘匿性の配送先の個人情報を含む、冊子が提供される。
請求項４の考案によれば、請求項２の考案において、前記非配送用情報が、広告情報を含む、冊子が提供される。
請求項５の考案によれば、請求項２の考案において、前記非配送用情報が、返信用材料を含む、冊子が提供される。
請求項６の考案によれば、請求項２の考案において、切り欠きが、四角形である、冊子が提供される。
請求項７の考案によれば、請求項１の考案において、印刷された配送用情報を視認可能に形成された包装材で包装して配送される、冊子が提供される。
【０００６】
【考案の実施の形態】
以下、添付の図面を参照して本考案の実施の形態について説明する。
図１が本考案による冊子の実施の形態を説明するための図である。冊子１は、表紙部材１０と裏表紙部材２０と本文部分３０から成る。裏表紙部材２０には窓状の切り欠き２１が形成されている。裏表紙部材２０に隣接する本文部分３０の末尾頁３０Ｌの、裏表紙部材２０に形成した切り欠き２１に対応する第１領域３０Ｌ１（クロスハッチングで示す）には配送先の宛名が印刷される。
【０００７】
なお、本文部分３０の末尾頁３０Ｌは、本文部分３０の他の頁と一緒に製本してもよいし、別途用意して製本された頁の末尾に貼り付けてもよい。あるいは、別途用意して、製本された頁の末尾と裏表紙部材２０の間に挟みこむだけでも良い。
【０００８】
図２は上記のように構成される冊子１を透明なラップ材４０に入れた状態を裏表紙部材２０の側から見た図である。図示されるように、裏表紙部材２０の切り欠き２１を通して本文部分３０の末尾頁３０Ｌの第１領域３０Ｌ１は見ることができるが、その他の領域は見えない。
【０００９】
図３は、本文部分３０の末尾頁３０Ｌの第１領域Ｌ１以外の部分の使用例を示す図である。
この例では、第２領域３０Ｌ２には広告資料が印刷され、第３領域３０Ｌ３には、好ましくは、切り取り可能なミシン目で囲まれた返信用はがきが印刷され、第４領域３０Ｌ４には要秘匿性の個人情報が印刷されている。要秘匿性の個人情報とは、配送先の個人ＩＤ、パスワード、各種サービスにより得たポイント数、等である。
前述したように、これらは、図２のような配送されるときの状態では、外からは見えない。
【００１０】
本実施の形態は、上記のように構成されているので、以下のような効果を得ることができる。
まず、冊子そのものに、宛先の個人名、や個人情報が印刷されているので、カスタムメイド的な印象を与えることができ、一種のパーソナル・プリント・マガジン（ＰＰＭ）として、配送先の顧客の満足度を高めることができる。また、第２領域３０Ｌ２に印刷された広告資料も、配送先の個人向け広告のような印象を与えることができ、これも顧客の満足度を高めることができる。
【００１１】
図４に示すのは、裏表紙部材２０に形成する切り欠き２１の形状の変形例であって、（Ａ）はハート形のものを示し、（Ｂ）は楕円形のものを示し、（Ｃ）は菱形のものを示し、（Ｄ）は星形のものを示しているが、これらは、ほんの一例であって、その他にも、いろいろな形にすることができる。このようにすることにより、顧客の興味をひくことができる。
【００１２】
なお、この実施の形態は、裏表紙部材２０に切り欠き２１を設けた場合を例にとって説明したが、表紙部材１０に切り欠きを設け、表紙部材１０に隣接する先頭頁の切り欠きに対応する領域に宛先を印刷し、その他の領域に各種情報を印刷することも可能である。
また、透明なラップ材４０ではなく、紙のような不透明な材料で形成され、印刷された配送情報が読めるように切り欠きを設けた所謂窓付き封筒で包装して配送することも勿論可能である。
【００１３】
【考案の効果】
各請求項に記載の冊子は、表紙部材、または、裏表紙部材ではなく本文部分の先頭頁、または、末尾頁に配送用情報が印刷され、配送時には、この配送用情報を表紙部材、または、裏表紙部材に設けた切り欠きを介して見ることができ、宛名ラベルが不要である。したがって、コストがやすく、廃棄物の発生が少なく、表紙部材、または、裏表紙部材の汚損も少ない。また、冊子そのものに、宛先の個人名、や個人情報が印刷されているので、カスタムメイド的な印象を与えることができ、一種のパーソナル・プリント・マガジン（ＰＰＭ）として配送先の顧客の満足度を高めることができる。また、請求項４に記載のようにすれば宛先に近接して広告情報が印刷され、配送先の個人向け広告のような印象を与えることができさらに顧客の満足度を高めることができる。
【図面の簡単な説明】
【図１】本考案による冊子の実施の形態の構成を示す図である。
【図２】図１の冊子のラップで包装した配送状態を示す図である。
【図３】本体部分の末尾頁に印刷する情報の例を示す図である。
【図４】（Ａ）裏表紙に形成する切り欠きの形状の一変形例（ハート形）である。
（Ｂ）裏表紙に形成する切り欠きの形状の一変形例（楕円形）である。
（Ｃ）裏表紙に形成する切り欠きの形状の一変形例（菱形）である。
（Ｄ）裏表紙に形成する切り欠きの形状の一変形例（星形）である。
【符号の説明】
１０…表紙部材
２０…裏表紙部材
２１…切り欠き
３０…本文部分
３０Ｌ…末尾頁
３０Ｌ１…第１領域
３０Ｌ２…第２領域
３０Ｌ３…第３領域
３０Ｌ４…第４領域
４０…ラップ材
【図１】
0003099369.tif 000003
【図２】
0003099369.tif 000004
【図３】
0003099369.tif 000005
【図４】
0003099369.tif 000006